(57)【要約】【課題】ファクシミリ装置本体に搭載されているＣＰＵの処理負荷が大きくならず、また、回線増設手段が高価にならない回線増設装置およびファクシミリ装置を提供することを目的とするものである。【解決手段】ファクシミリ通信を制御する通信コントローラ手段と、回線の切り替え制御を行う回線制御手段と、上記通信コントローラ手段と上記回線制御手段とを制御し、データの処理と転送とを行うＣＰＵと、回線から受信したデータを、画像処理装置に転送する第１の接続手段と、第２の回線増設装置と接続する第２の接続手段とを有し、上記ＣＰＵが、上記第２の接続手段を介して、上記第２の回線増設装置を制御する回線増設装置である。【選択図】　図１
2004048159.tif 000002
【特許請求の範囲】
【請求項１】
ファクシミリ通信を制御する通信コントローラ手段と；
回線の切り替え制御を行う回線制御手段と；
上記通信コントローラ手段と上記回線制御手段とを制御し、データの処理と転送とを行うＣＰＵと；
回線から受信したデータを、画像処理装置に転送する第１の接続手段と；
第２の回線増設装置と接続する第２の接続手段と；
を有し、上記ＣＰＵが、上記第２の接続手段を介して、上記第２の回線増設装置を制御することを特徴とする回線増設装置。
【請求項２】
ファクシミリ装置本体と、第１の回線増設装置と、第２の回線増設装置とを有するファクシミリ装置であって、
上記第１の回線増設装置は、
ファクシミリ通信を制御する第１の通信コントローラ手段と；
回線を切り替え制御する第１の回線制御手段と；
上記第１の通信コントローラ手段と上記第１の回線制御手段とを制御し、データの処理と転送とを行うＣＰＵと；
回線から受信したデータを、上記ファクシミリ装置本体に転送する第１の接続手段と；
上記第２の回線増設装置と接続する第２の接続手段と；
を有し、
上記第２の回線増設装置は、
ファクシミリ通信を制御する第２の通信コントローラ手段と；
上記第１の回線制御手段が制御する回線とは異なる他の回線の切り替えを制御する第２の回線制御手段と；
上記第１の回線増設装置と接続する第３の接続手段と；
を有することを特徴とするファクシミリ装置。
【発明の詳細な説明】
【０００１】
【発明の属する技術分野】
本発明は、ファクシミリ装置に関し、特に、回線の増設が容易であるファクシミリ装置に関する。
【０００２】
【従来の技術】
従来、複数回線を接続可能なファクシミリ装置が普及しつつあり、互いに異なる複数の相手先と同時に通信することができる。
【０００３】
たとえば、メモリ送信機能とメモリ受信機能とを利用し、一方の回線でファクシミリ送信を行っている最中に、他方の回線でファクシミリ受信を実行することができ、双方の回線で、同時にファクシミリ受信することができ、また、双方の回線で同時にファクシミリ送信することができる。
【０００４】
図６は、従来のファクシミリ装置ＦＳ１１、ＦＳ１２を示すブロック図である。
【０００５】
図６（１）は、従来のファクシミリ装置ＦＳ１１を示すブロック図であり、ファクシミリ装置ＦＳ１１において、回線を増設する場合、ファクシミリ装置本体４０に、回線増設手段５０、６０を接続し、ファクシミリ装置本体４０のＣＰＵ４１が、回線増設手段５０、６０を制御し、データを処理している。
【０００６】
図６（２）は、従来のファクシミリ装置ＦＳ１２を示し、ファクシミリ装置ＦＳ１２において、ファクシミリ装置本体７０が、回線増設手段８０、９０に接続される。
【０００７】
ファクシミリ装置本体７０は、ＣＰＵ７１を有し、回線増設手段８０、９０は、それぞれ、ＣＰＵ８１、９１を有する。そして、ＣＰＵ８１、９１が、それぞれ、回線増設手段８０、９０を制御し、データを処理している。
【０００８】
【発明が解決しようとする課題】
従来のファクシミリ装置ＦＳ１１では、回線増設手段５０、６０が、ＣＰＵを搭載しないので、回線増設手段５０、６０が安価であるが、ファクシミリ装置本体４０のＣＰＵ４１は、原稿読取り動作と、記録動作と、回線増設手段の制御と、そのデータ処理とを実行するので、ＣＰＵ４１の処理負荷が大きく、原稿の読込みや受信画像の印刷、ファクシミリ通信に遅れや支障をきたす場合があるという問題がある。
【０００９】
一方、従来のファクシミリ装置ＦＳ１２では、回線増設手段８０、９０のそれぞれにＣＰＵ８１、９１を搭載するので、ファクシミリ動作は安定するが、回線増設手段８０、９０が高価であるという問題がある。
【００１０】
本発明は、ファクシミリ装置本体に搭載されているＣＰＵの処理負荷が大きくならず、また、回線増設手段が高価にならない回線増設装置およびファクシミリ装置を提供することを目的とするものである。
【００１１】
【課題を解決するための手段】
本発明は、ファクシミリ通信を制御する通信コントローラ手段と、回線の切り替え制御を行う回線制御手段と、上記通信コントローラ手段と上記回線制御手段とを制御し、データの処理と転送とを行うＣＰＵと、回線から受信したデータを、画像処理装置に転送する第１の接続手段と、第２の回線増設装置と接続する第２の接続手段とを有し、上記ＣＰＵが、上記第２の接続手段を介して、上記第２の回線増設装置を制御する回線増設装置である。
【００１２】
【発明の実施の形態および実施例】
図１は、本発明の一実施例であるファクシミリ装置ＦＳ１を示すブロック図である。
【００１３】
ファクシミリ装置ＦＳ１は、ファクシミリ装置本体１０と、回線増設手段２０、３０とを有する。
【００１４】
ファクシミリ装置本体１０に、回線増設手段２０が接続され、回線増設手段２０に、回線増設手段３０が接続され、各回線増設手段２０、３０に、回線Ｌ１、Ｌ２が接続され、ファクシミリ通信を行う。
【００１５】
ファクシミリ装置本体１０にＣＰＵ（中央演算処理装置）１１が搭載され、ＣＰＵ１１は、ファクシミリ送信時の原稿読取り制御、ファクシミリ受信時の記録制御等、ファクシミリ装置ＦＳ１の全体を制御する。
【００１６】
回線増設手段２０は、ＣＰＵ２１と、通信コントローラ手段２２と、回線制御手段２３と、回線部２４と、コネクタ２５、２６とを有する。
【００１７】
ＣＰＵ２１は、通信コントローラ手段２２と回線制御手段２３とを制御し、受信データと送信データとを符号化復号化し、受信データと送信データとを転送する。通信コントローラ手段２２は、ファクシミリの通信手順を制御する手段であり、回線制御手段２３は、相手端末と接続するために回線部２４を制御し、交換機とやり取りを行う手段である。
【００１８】
回線部２４は、交換機と接続するためのインタフェースである。コネクタ２５は、回線増設手段２０をファクシミリ装置本体１０に接続するコネクタである。コネクタ２６は、回線増設手段２０を回線増設手段３０に接続するコネクタである。
【００１９】
回線増設手段３０は、通信コントローラ手段３２と、回線制御手段３３と、回線部３４と、コネクタ３５とを有する。
【００２０】
通信コントローラ手段３２は、ファクシミリの通信手順を制御する手段である。回線制御手段３３は、相手端末と接続するために回線部３４を制御し、交換機とやり取りを行う手段である。
【００２１】
回線部３４は、交換機と接続するためのインタフェースである。コネクタ３５は、回線増設手段３０を回線増設手段２０に接続するコネクタである。
【００２２】
また、回線増設手段２０に設けられているＣＰＵ２１は、コネクタ２６、３５を介して、回線増設手段３０の通信コントローラ手段３２と回線制御手段３３とを制御し、受信データと送信データとを符号化復号化し、受信データと送信データとを転送する。
【００２３】
次に、上記実施例の動作について説明する。
【００２４】
図２は、ファクシミリ装置本体１０に、回線増設手段２０が接続され、回線増設手段３０が回線増設手段２０に接続されていない状態で、ファクシミリ送信する場合におけるＣＰＵ２１の動作を示すフローチャートである。
【００２５】
まず、ユーザがファクシミリ送信の操作を開始すると、ファクシミリ装置本体１０は、ファクシミリ送信要求があることを知らせる信号を、回線増設手段２０へ送出する（Ｓ１）。
【００２６】
ファクシミリ送信要求があることを知らせる信号を、回線増設手段２０のＣＰＵ２１が受信すると、ＣＰＵ２１は、回線部２４が使用中であるか否かを判断し（Ｓ２）、回線部２４が使用中である場合、回線が使用中であることを知らせる信号を、ファクシミリ装置本体１０に送信し、回線部２４が使用中でなくなるのを待つ。
【００２７】
回線部２４が使用中でなければ、回線増設手段２０のＣＰＵ２１は、ファクシミリ装置本体１０から、発呼要求と発呼番号とを受信し、これら受信した発呼要求と発呼番号とに応じて、回線制御手段２３を制御し、回線部２４と交換機とを接続する。そして、交換機が相手端末を呼び出すことによって、呼が成立する（Ｓ３）。
【００２８】
一方、ファクシミリ装置本体１０は原稿を読取り、この読み取られた画データは、ファクシミリ装置本体１０に内蔵されている図示しないメモリに蓄積される。そして、上記蓄積された画データは、コネクタ２５を介して、回線増設手段２０に送信される。
【００２９】
画データを特定の方式に符号化し、ファクシミリ送信する場合は、ファクシミリ装置本体１０に搭載されているＣＰＵ１１の負荷を軽減するために、ファクシミリ装置本体１０で符号化処理を行わずに、回線増設手段２０に搭載されているＣＰＵ２１によって符号化処理を行う（Ｓ４）。
【００３０】
符号化された画データは、通信コントローラ手段２２に送られる。通信コントローラ手段２２は、通信手順に従って相手端末に画データを送信する（Ｓ５）。
【００３１】
画データの送信が終了すると、回線制御手段２３は、回線部２４を制御し、回線Ｌ１を開放する（Ｓ６）。以上で、ファクシミリ送信が完了する（Ｓ７）。
【００３２】
図３は、ファクシミリ装置本体１０に、回線増設手段２０が接続され、回線増設手段３０が回線増設手段２０に接続されている状態で、ファクシミリ送信する場合におけるＣＰＵ２１の動作を示すフローチャートである。
【００３３】
まず、ユーザがファクシミリ送信の操作を開始すると、ファクシミリ装置本体１０は、ファクシミリ送信要求があることを知らせる信号を、回線増設手段２０へ送出する（Ｓ１１）。
【００３４】
ファクシミリ送信要求があることを知らせる信号を、回線増設手段２０のＣＰＵ２１が受信すると、ＣＰＵ２１は、回線部２４が使用中であるか否かを判断し（Ｓ１２）、使用中でなければ、図２に示すフローチャートの送信動作（ファクシミリ装置本体１０に回線増設手段２０が接続されているが、回線増設手段３０が回線増設手段２０に接続されていない場合の送信動作）と同様に送信する。
【００３５】
回線部２４が使用中であれば、回線増設手段２０のＣＰＵ２１は、回線部３４が使用中であるか否かを判断する（Ｓ１３）。
【００３６】
回線部３４も使用中であれば、回線が使用中であることを知らせる信号をファクシミリ装置本体１０に送信し、回線部２４または回線部３４が使用中でなくなるのを待つ。
【００３７】
回線部３４が使用中でなければ、回線増設手段２０のＣＰＵ２１は、ファクシミリ装置本体１０から発呼要求と発呼番号とを受信する。回線増設手段２０のＣＰＵ２１は、受信した発呼要求と発呼番号とに応じて、回線制御手段３３を制御し、回線部３４と交換機とを接続する。そして、交換機が相手端末を呼び出すことによって、呼が成立する（Ｓ１４）。
【００３８】
一方、ファクシミリ装置本体１０が原稿を読取り、この読み取られた画データは、ファクシミリ装置本体１０に内蔵されているメモリに蓄積される。そして、上記蓄積されている画データは、コネクタ２５を介して、一旦、回線増設手段２０に送信される。
【００３９】
画データを特定の方式に符号化し、ファクシミリ送信する場合、回線増設手段３０にＣＰＵを搭載していないので、回線増設手段２０に搭載されているＣＰＵ２１が符号化処理を行う（Ｓ１５）。なお、回線増設手段３０にＣＰＵを搭載していないことによって、回線増設手段３０を安価にユーザに提供することができる。
【００４０】
符号化された画データは、コネクタ２６、３５を介して、通信コントローラ手段３２に送信される。通信コントローラ手段３２は、通信手順に従って、画像データを相手端末に送信する（Ｓ１６）。ファクシミリ送信が完了すると、回線制御手段３３は、回線部３４を制御し、回線を開放する（Ｓ１７）。以上でファクシミリ送信が完了する（Ｓ１８）。
【００４１】
図４は、上記実施例において、回線Ｌ１を介して、回線増設手段２０がファクシミリ受信する場合の動作を示すフローチャートである。
【００４２】
相手端末がファクシミリ送信について操作すると、交換機は、回線接続手段２０と回線とを接続するために、回線接続要求を送る（Ｓ２１）。回線制御手段２３は、回線接続要求を受け、回線部２４を制御することによって、回線が接続される（Ｓ２２）。回線が接続された後、通信コントローラ手段２２は、通信手順に従って、相手端末から画データを受信する（Ｓ２３）。
【００４３】
画データの受信が終了すると、回線制御手段２３は、回線部２４を制御し、回線を開放する（Ｓ２４）。
【００４４】
一方、画データが特定の方式で符号化され、ファクシミリ受信された場合、ファクシミリ装置本体１０に搭載されているＣＰＵ１１の負荷を軽減するために、ファクシミリ装置本体１０で復号化処理を行わずに、回線増設手段２０に搭載されているＣＰＵ２１が復号化処理を行う（Ｓ２５）。
【００４５】
復号化処理が終わった画データは、コネクタ２５を介して、ファクシミリ装置本体１０に送られ（Ｓ２６）、上記復号化処理された画データに基づいて、ファクシミリ装置の記録部が出力する（Ｓ２７）。
【００４６】
以上で、ファクシミリ送信が完了する（Ｓ２８）。
【００４７】
図５は、上記実施例において、回線増設手段３０に接続された回線Ｌ２を介して、ファクシミリ受信する場合の動作を示すフローチャートである。
【００４８】
相手端末がファクシミリ送信の操作を行うと、交換機は、回線部３４と回線とを接続するために、回線接続要求を送る（Ｓ３１）。回線制御手段３３は、回線接続要求を受け、回線部３４を制御することによって回線が接続される（Ｓ３２）。回線が接続された後に、通信コントローラ手段３２は、通信手順に従って、相手端末から画データを受信する（Ｓ３３）。
【００４９】
画データの受信が終了すると、回線制御手段３３は、回線部３４を制御し、回線を開放する（Ｓ３４）。
【００５０】
一方、画データが特定の方式で符号化されてファクシミリ受信された場合、回線増設手段３０を安価にユーザに提供するために回線増設手段３０にＣＰＵを搭載してないので、ファクシミリ装置本体１０で復号化処理を行わずに、回線増設手段２０に搭載されているＣＰＵ２１が、復号化処理を行う（Ｓ３５）。
【００５１】
復号化処理が終わった画データは、コネクタ２５を介して、ファクシミリ装置本体１０に送られ（Ｓ３６）、上記復号化処理された画データに基づいて、ファクシミリ装置の記録部が出力する（Ｓ３７）。
【００５２】
以上で、ファクシミリ送信が完了する（Ｓ３８）。
【００５３】
つまり、回線増設手段２０において、通信コントローラ手段２２は、ファクシミリ通信を制御する通信コントローラ手段の例であり、回線制御手段２３と回線部２４とは、回線の切り替え制御を行う回線制御手段の例であり、ＣＰＵ２１は、上記通信コントローラ手段と上記回線制御手段とを制御し、データの処理と転送とを行うＣＰＵの例であり、コネクタ２５は、回線から受信したデータを、画像処理装置に転送する第１の接続手段の例であり、コネクタ２６は、第２の回線増設装置と接続する第２の接続手段の例である。
【００５４】
また、回線増設手段２０は、回線増幅装置の例であり、ファクシミリ装置本体１０は、上記画像処理装置の例であり、回線増設手段３０は、上記第２の回線増幅装置の例である。
【００５５】
また、ファクシミリ装置ＦＳ１は、ファクシミリ装置本体と、第１の回線増設装置と、第２の回線増設装置とを有するファクシミリ装置であって、上記第１の回線増設装置は、ファクシミリ通信を制御する第１の通信コントローラ手段と、回線を切り替え制御する第１の回線制御手段と、上記第１の通信コントローラ手段と上記第１の回線制御手段とを制御し、データの処理と転送とを行うＣＰＵと、回線から受信したデータを、上記ファクシミリ装置本体に転送する第１の接続手段と、上記第２の回線増設装置と接続する第２の接続手段とを有し、上記第２の回線増設装置は、ファクシミリ通信を制御する第２の通信コントローラ手段と、上記第１の回線制御手段が制御する回線とは異なる他の回線の切り替えを制御する第２の回線制御手段と、上記第１の回線増設装置と接続する第３の接続手段とを有するファクシミリ装置の例である。
【００５６】
【発明の効果】
本発明によれば、ファクシミリ装置本体に搭載されているＣＰＵの処理負荷が大きくならず、また、回線増設手段が高価にならないという効果を奏する
【図面の簡単な説明】
【図１】本発明の一実施例であるファクシミリ装置ＦＳ１を示すブロック図である。
【図２】ファクシミリ装置本体１０に、回線増設手段２０が接続され、回線増設手段３０が回線増設手段２０に接続されていない状態で、ファクシミリ送信する場合におけるＣＰＵ２１の動作を示すフローチャートである。
【図３】ファクシミリ装置本体１０に、回線増設手段２０が接続され、回線増設手段３０が回線増設手段２０に接続されている状態で、ファクシミリ送信する場合におけるＣＰＵ２１の動作を示すフローチャートである。
【図４】上記実施例において、回線Ｌ１を介して、回線増設手段２０がファクシミリ受信する場合の動作を示すフローチャートである。
【図５】上記実施例において、回線増設手段３０に接続された回線Ｌ２を介して、ファクシミリ受信する場合の動作を示すフローチャートである。
【図６】従来のファクシミリ装置ＦＳ１１、ＦＳ１２を示すブロック図である。
【符号の説明】
ＦＳ１…ファクシミリ装置、
１０…ファクシミリ装置本体、
１１…ＣＰＵ、
２０…第１の回線増設手段、
２１…ＣＰＵ、
２２、３２…通信コントローラ手段、
２３、３３…回線制御手段、
２４、３４…回線部、
Ｌ１、Ｌ２…回線、
３０…第２の回線増設手段。
【図１】
2004048159.tif 000003
【図２】
2004048159.tif 000004
【図３】
2004048159.tif 000005
【図４】
2004048159.tif 000006
【図５】
2004048159.tif 000007
【図６】
2004048159.tif 000008